(57)【要約】      （修正有）【課題】簡単な構成で、異なる種類の砥粒により構成されてコアに設けられる砥石を所望の組織に容易に構成することができる方法を提供する。【解決手段】本発明は、異なる種類の砥粒１０、１１が結合された砥石をコアに設けてなる研削工具の製造方法であって、粘着フィルム１５に対してフィラメント砥粒１１を付着させる位置にマスキング１８を施す工程（ｂ）と、ツブ状の砥粒１０を付着させ（ｃ）、その後、マスキング１８を取り除く工程（ｄ）と、フィラメント砥粒１１の向きと位置を調整する工程と、マスキング１８を施されていた位置にフィラメント砥粒１１を付着させる工程（ｅ）と、を含む。砥粒１０、１１が付着された粘着フィルム１５を複数積層して砥石の形状に応じた金型内でプレスすることにより成形し、焼き固めてコアに取付ける。【選択図】図３
2007313609.tif 000002
【特許請求の範囲】
【請求項１】
異なる種類の砥粒が結合された砥石をコアに設けてなる研削工具の製造方法であって、
基材に対して所定の砥粒を任意の間隔で付着させる工程と、
前記所定の砥粒を付着させる位置の間に他の砥粒を付着させる工程と、
を含むことを特徴とする研削工具の製造方法。
【請求項２】
前記砥粒の少なくとも一種類の形状が長手方向を有している場合において、
長手方向を有する砥粒を所定の向きと位置に調整する工程をさらに含むことを特徴とする請求項１に記載の研削工具の製造方法。
【請求項３】
前記基材の、前記所定の砥粒を配置する位置または前記他の砥粒を配置する位置のいずれか一方をマスキングする工程と、
前記基材の、マスキングされていない位置にいずれか他方の砥粒を付着させ、その後、前記マスキングを取り除く工程と、
前記基材の、マスキングが取り除かれた位置にいずれか一方の砥粒を付着させる工程と、
を含むことを特徴とする請求項１または２に記載の研削工具の製造方法。
【請求項４】
前記基材と、該基材に対する前記砥粒の一方の供給位置とを相対的に移動させつつ、前記基材に対する前記砥粒の一方を断続的に供給することを特徴とする請求項１〜３のいずれかに記載の研削工具の製造方法。
【請求項５】
前記基材としてフィルム状またはシート状のものを用意し、
前記各砥粒が付着されたフィルム状またはシート状の基材を積層してプレスし所定形状に成形する工程と、
該成形品を焼き固めて前記コアに設けられる砥石を得る工程と、
をさらに含むことを特徴とする請求項１〜４のいずれかに記載の研削工具の製造方法。
【発明の詳細な説明】
【技術分野】
【０００１】
本発明は、研削工具の製造方法に関し、特に、異なる種類の砥粒が結合された砥石をコアに設けてなる研削工具の製造方法に関するものである。ここで、異なる種類の砥粒とは、その形状が異なる場合、その形状が実質的に同じであっても大きさが異なる場合、その材質が異なる場合、および、これらの条件が複合する場合が含まれる。
【背景技術】
【０００２】
切削や研磨などを含む研削を行うための研削工具は、一般に円板状のコア（ホイールともいう）の側面または外周面に砥石が設けられている。そして、砥石のなかには複数の異なる種類の砥粒により構成されたものが知られている。複数の異なる種類の砥粒により構成された砥石としては、形状が異なる、すなわち、たとえばツブ状の砥粒と円柱状の細長い砥粒（フィラメント砥粒）とを混合して結合剤により結合したものが存在する。また、このような砥石の別の例としては、同じツブ状であっても、大きさが異なる砥粒を混合して結合剤により結合したものが存在する。さらに別の砥石の例としては、材質が異なる、すなわち、たとえばアルミナ系或は炭化珪素系などのようなセラミック系の一般砥粒と、ダイヤモンド或はＣＢＮ（立方晶窒化ホウ素）などの超砥粒とを混合して結合剤により結合したものも存在する。
【０００３】
上記砥石のうちで、形状や大きさが異なる砥粒を混合したり、材質が異なる砥粒を混合するための従来の技術としては、一般に、ミキサーにより機械的に混合したり、へらなどの棒状の器具を用いて手作業により混合することが行われている。
【０００４】
また、上述したようにツブ状の砥粒とフィラメント砥粒とにより砥石を構成してなる研磨工具の従来の技術として、特許文献１が知られている。特許文献１には、少なくとも一種類の超砥粒成分と微結晶質アルミナ粒子を結合剤に分散して含み、前記微結晶質アルミナ粒子がフィラメント状粒子からなりかつ実質的に一様に配向されていることなどを特徴とする研磨工具が開示されている。そして、特許文献１には、フィラメント状粒子を一様に配向するために、セグメント（砥石）の形成時に窮屈に曲げてフィラメントを配置し、研磨時に各々の折り目の組が摩耗して２つのフィラメント端を形成するようにすることが記載されている（００１６）。すなわち、特許文献１では、曲げて少なくとも２つ以上の組を形成することが可能な長さを有するフィラメント状粒子が使用されている。
【０００５】
【特許文献１】特許第３０４２７４９号公報
【発明の開示】
【発明が解決しようとする課題】
【０００６】
しかしながら、上述したように、ツブ状の砥粒とフィラメント砥粒とをミキサーやへらなどを用いて混合する従来の一般的な技術にあっては、ミキサーの混合翼やへらなどに対する引っ掛りがツブ状の砥粒とフィラメント砥粒とで異なるため、ツブ状の砥粒とフィラメント砥粒との分布が均等となるように混合されず、また、フィラメント砥粒の方向が一定でなく組織が均一にならないことから、砥石の研削特性が部分によって異なるという問題があった。また、一般砥粒と超砥粒など、混合する砥粒が互いにツブ状であっても、その大きさや形状などが異なると、上記フィラメント砥粒の場合と同様に、均等に混合することができず、均一な組織とならないことから、砥石の研削特性が部分によって異なるという問題があった。
【０００７】
また、上記特許文献１にあっては、曲げて少なくとも２つ以上の組を形成することが可能な長さを有するフィラメント状粒子（フィラメント砥粒）を使用する必要があるが、このフィラメント砥粒の成形は、材質によっては径の５〜１０倍の長さが限度であり、このような曲げることができるような長さを有するフィラメント砥粒自体を実際に成形することは困難であり、さらに、このような長さを有するフィラメント状粒子を所定の位置で曲げるこのが困難であると共に曲げるための手間がかかるなどの問題があった。
【０００８】
本発明は、上述した問題に鑑みてなされたもので、簡単な構成で、異なる種類の砥粒により構成されてコアに設けられる砥石を所望の組織に容易に構成することができる方法を提供することを目的とする。
【課題を解決するための手段】
【０００９】
請求項１の研削工具の製造方法に係る発明は、上記目的を達成するため、異なる種類の砥粒が結合された砥石をコアに設けてなる研削工具の製造方法であって、基材に対して所定の砥粒を任意の間隔で付着させる工程と、前記所定の砥粒を付着させる位置の間に他の砥粒を付着させる工程と、を含むことを特徴とするものである。
請求項２の研削工具の製造方法に係る発明は、上記目的を達成するため、請求項１に記載の発明において、前記砥粒の少なくとも一種類の形状が長手方向を有している場合において、長手方向を有する砥粒を所定の向きと位置に調整する工程をさらに含むことを特徴とするものである。
請求項３の研削工具の製造方法に係る発明は、上記目的を達成するため、請求項１または２に記載の発明において、前記基材の、前記所定の砥粒を配置する位置または前記他の砥粒を配置する位置のいずれか一方をマスキングする工程と、前記基材の、マスキングされていない位置にいずれか他方の砥粒を付着させ、その後、前記マスキングを取り除く工程と、前記基材の、マスキングが取り除かれた位置にいずれか一方の砥粒を付着させる工程と、を含むことを特徴とするものである。
請求項４の研削工具の製造方法に係る発明は、上記目的を達成するため、請求項１〜３のいずれかに記載の発明において、前記基材と、該基材に対する前記砥粒の一方の供給位置とを相対的に移動させつつ、前記基材に対する前記砥粒の一方を断続的に供給することを特徴とするものである。
請求項５の研削工具の製造方法に係る発明は、上記目的を達成するため、請求項１〜４のいずれかに記載の発明において、前記基材としてフィルム状またはシート状のものを用意し、前記各砥粒が付着されたフィルム状またはシート状の基材を積層してプレスし所定形状に成形する工程と、該成形品を焼き固めて前記コアに設けられる砥石を得る工程と、
をさらに含むことを特徴とするものである。
【００１０】
請求項１の発明では、砥石を構成するにあたり、基材に対して所定の砥粒を任意の間隔で付着させる工程と、前記所定の砥粒を付着させる位置の間に他の砥粒を付着させる工程と、の工程を行う。所定の砥粒と他の砥粒とは任意の間隔で交互に基材上に配置され結合される。そのため、コアに設けられる砥石が所望の組織に容易に構成される。
請求項２の発明では、請求項１に記載の発明において、前記砥粒の少なくとも一種類の形状が長手方向を有している場合に、この長手方向を有する砥粒を所定の向きと位置に調整する工程を行うことにより、かかる砥粒の長手方向の向きと位置が一定に揃った砥石が構成されるため、コアに設けられる砥石が所望の組織に容易に構成される。
請求項３の発明では、請求項１または２に記載の発明において、前記基材の、前記所定の砥粒を配置する位置または前記他の砥粒を配置する位置のいずれか一方をマスキングしておいてから、マスキングされていない位置にいずれか他方の砥粒を付着させ、その後、前記マスキングを取り除いて、マスキングされていた部分にいずれか一方の砥粒を付着させることにより、所定の砥粒と他の砥粒とは確実に任意の間隔で交互に基材上に配置され結合される。そのため、コアに設けられる砥石が所望の組織に容易に構成される。
請求項４に記載の発明では、請求項１〜３のいずれかに記載の発明において、前記基材と、該基材に対する前記砥粒の一方の供給位置とを相対的に移動させつつ、前記基材に対する前記砥粒の一方を断続的に供給すると、基材上に砥粒の一方が確実に任意の間隔で配置されるため、コアに設けられる砥石が所望の組織に容易に構成される。
請求項５に記載の発明では、請求項１〜４のいずれかに記載の発明において、各砥粒が付着されたフィルム状またはシート状の基材を積層してプレスし所定形状に成形したものを、焼き固めて砥石を構成し、かかる砥石を前記コアに設ける。砥粒が確実に任意の間隔で交互に配置されて所望の組織に構成されると共に、所定の厚み或は大きさで成形された砥石がコアに設けられる。
【発明の効果】
【００１１】
請求項１の発明によれば、基材に対して所定の砥粒を任意の間隔で付着させる工程と、前記所定の砥粒を付着させる位置の間に他の砥粒を付着させる工程と、を含むという簡単な構成により、異なる種類の砥粒が結合されコアに設けられる砥石を所望の組織に容易に構成することが可能な研削工具の製造方法を提供することができる。
請求項２の発明によれば、請求項１に記載の発明において、前記砥粒の少なくとも一種類の形状が長手方向を有している場合に、長手方向を有する砥粒を所定の向きと位置に調整する工程をさらに含むという簡単な構成により、長手方向を有する砥粒を含む場合であっても、異なる種類の砥粒が結合されコアに設けられる砥石を所望の組織に容易に構成することが可能な研削工具の製造方法を提供することができる。
請求項３の発明によれば、請求項１または２に記載の発明において、前記基材の、前記所定の砥粒を配置する位置または前記他の砥粒を配置する位置のいずれか一方をマスキングする工程と、前記基材の、マスキングされていない位置にいずれか他方の砥粒を付着させ、その後、前記マスキングを取り除く工程と、前記基材の、マスキングが取り除かれた位置にいずれか一方の砥粒を付着させる工程と、を含むという簡単な構成により、異なる種類の砥粒が結合されコアに設けられる砥石を所望の組織に容易にかつ確実に構成することが可能な研削工具の製造方法を提供することができる。
請求項４の発明によれば、請求項１〜３のいずれかに記載の発明において、前記基材と、該基材に対する前記砥粒の一方の供給位置とを相対的に移動させつつ、前記基材に対する前記砥粒の一方を断続的に供給するという簡単な構成により、コアに設けられる砥石を所望の組織に容易に構成することが可能な研削工具の製造方法を提供することができる。
請求項５の発明によれば、請求項１〜３のいずれかに記載の発明において、前記基材としてフィルム状またはシート状のものを用意し、前記各砥粒が付着されたフィルム状またはシート状の基材を積層してプレスし所定形状に成形する工程と、該成形品を焼き固めて前記コアに設けられる砥石を得る工程と、をさらに含むという簡単な構成により、砥粒が確実に任意の間隔で交互に配置されて所望の組織に構成されると共に、所定の厚み或は大きさで成形された砥石がコアに設けられることが可能な研削工具の製造方法を提供することができる。
【発明を実施するための最良の形態】
【００１２】
本発明の研削工具の製造方法の実施の形態を、図１〜図９に基づいて詳細に説明する。図において、同一符号は同様の部分または相当する部分に付すものとする。なお、この実施の形態においては、砥石１を構成する異なる種類の砥粒として、形状がツブ状の砥粒１０と細長い円柱状などの形状のフィラメント砥粒１１とを使用する場合により説明する。各フィラメント砥粒１１は、例えば、径が１２５または２５０μｍで、長さが径の５〜１０倍に成形されている。
【００１３】
図１および図２は、本発明の一部の工程で使用される装置の一実施の形態を概略で示したものである。この装置は、フィラメント砥粒１１の向きと位置を調整するための調整手段２０と、この調整手段２０によって向きと位置が調整されたフィラメント砥粒１１を搬送して基材１５上に供給する搬送手段２１と、この搬送手段２１によってフィラメント砥粒１１が供給される位置に対して基材１５を相対的に移動させる移動手段２２と、を備えている。
【００１４】
調整手段２０は、所定の長さおよび径に成形されたフィラメント砥粒１１が投入されるホッパ２５と、ホッパ２５が設けられた容器２６内に支持されて所定の方向に向いたフィラメント砥粒１１のみ通過を許容するふるい２７と、ふるい２７に対するフィラメント砥粒１１の姿勢を変更させてふるい２７の間を通過させるようふるい２７に振動を与える振動発生装置２８と、ふるい２７を通過したフィラメント砥粒１１の位置を整えて順次排出する排出部２９と、を備えている。ふるい２７は、図１に示したように多段に設けることが好ましい。各ふるい２７の間隔は、フィラメント砥粒１１の断面の大きさに応じて適当に設定することができる。また、各ふるい２７は、その断面形状を、例えば、円形（図１の上段を参照）、三角、菱形を含む矩形（図１の下段を参照）など、適当な断面形状とすることができる。
【００１５】
ホッパ２５に投入されたフィラメント砥粒１１は、振動発生装置２８によってその姿勢を変えられ、長手方向がふるい２７の方向と一致したときにふるい２７の間を通過し落下する。これにより、フィラメント砥粒１１の長手方向の向きが一定となるように制御される。そして、ふるい２７を通過したフィラメント砥粒１１は、排出部２９でその長手方向の位置が揃えられて、順次所定の間隔を保って断続的に排出される。
【００１６】
搬送手段２１は、適当な傾斜を有しており調整手段２０から順次排出されたフィラメント砥粒１１を受ける搬送板３０と、この搬送板３０に支持されたフィラメント砥粒１１の向きや長手方向の位置を変えないように搬送すべく搬送板３０に振動を付与する振動発生装置２８と、により構成されている。図１に示した実施の形態では、搬送板３０は、基端が振動発生装置２８に接合されている。すなわち、振動発生装置２８は、調整手段２０と搬送手段２１とで共用されている。搬送板３０は、その先端の高さが調整手段２０からフィラメント砥粒１１を受ける位置よりも低くなるように傾斜している。
【００１７】
搬送手段２１の搬送板３０は、振動発生装置２８により振動する状態で、調整手段２０から断続的に排出されたフィラメント砥粒１１を受ける。そのため、フィラメント砥粒１１は、その向きや長手方向の位置を変えることなく、所定の間隔を保って搬送板３０の先端に向かって搬送され、最終的には搬送板３０の先端から落下する。すなわち、この搬送板３０の先端が基材１５に対するフィラメント砥粒１１の供給位置を構成している。
【００１８】
砥粒１０、１１等を付着させる基材１５は、この実施の形態の場合、付着させる表面に粘着剤１６が塗布された紙や樹脂などのシートまたはフィルム１７に成形されたものである（以下、実施の形態によっては、基材１５或は粘着フィルム１５という）。粘着フィルム１５を供給位置に対して相対的に移動させる移動手段２２は、粘着フィルム１５を所定の速度で所定の方向に送るよう回転駆動されるローラ、粘着フィルム１５を送る方向に沿って往復移動するクランパ、或は、粘着フィルム１５を支持するコンベアなどによって構成することができる。
【００１９】
フィラメント砥粒１１は、搬送板３０の先端から所定間隔を保って落下し、移動する粘着フィルム１５上に供給されて所定の間隔で順次付着される。粘着フィルム１５上でフィラメント砥粒１１を付着させる間隔は、調整手段２０から排出するフィラメント砥粒１１の間隔や搬送手段２１によってフィラメント砥粒１１を搬送する速度と、移動手段２２によって粘着フィルム１５を送る速度とを相対的に調整することにより、任意に変更することができる。
【００２０】
本発明の研削工具の製造方法の第１の実施の形態を、上述したように構成された装置を一部の工程で使用する場合により、図３〜５に基づいて詳細に説明する。
本発明は、概略、異なる種類の砥粒１０、１１等が結合された砥石をコアに設けてなる研削工具の製造方法であって、基材１５に対して所定の砥粒１０または１１を任意の間隔で断続的に付着させる工程と、所定の砥粒１０または１１を付着させる位置の間に他の砥粒１１または１０を付着させる工程と、を含んでいる。
さらに、この実施の形態における砥粒１０、１１のうちの少なくとも一種類の形状が長手方向を有するフィラメント砥粒１１であり、フィラメント砥粒１１の向きと位置を調整する工程（フィラメント砥粒調整工程）も含んでいる。なお、この実施の形態では、上記基材１５に対して所定の砥粒１１を任意の間隔で断続的に付着させる工程のことをフィラメント砥粒付着工程と、また、上記所定の砥粒１１を付着させる位置の間に他の砥粒１０を付着させる工程のことをツブ状砥粒付着工程と、それぞれ称する。
さらにまた、この実施の形態においては、フィラメント砥粒１１を配置する位置またはツブ状の砥粒１０を配置する位置のいずれか一方をマスキング１８を施す工程（マスキング工程）と、フィラメント砥粒付着工程またはツブ状砥粒付着工程のいずれか一方の工程の後にマスキング１８を取り除く工程（マスキング除去工程）と、をさらに含んでおり、フィラメント砥粒付着工程またはツブ状砥粒付着工程のいずれか一方の工程がマスキング１８を施されていない位置にフィラメント砥粒１１またはツブ状の砥粒１０のいずれか一方の砥粒を付着させ、フィラメント砥粒付着工程またはツブ状砥粒付着工程のいずれか他方の工程がマスキング１８を施されていた位置にフィラメント砥粒１１またはツブ状の砥粒１０のいずれか他方の砥粒を付着させるものである。
そして、基材１５に対してフィラメント砥粒１１を任意の間隔で付着させる工程では、フィラメント砥粒１１の供給位置と基材１５とを相対的に移動させる。
また、基材としてしてフィルム状またはシート状のもの（この実施の形態では粘着フィルム）１５を用意し、このシート状またはフィルム状の基材１５に体してフィラメント砥粒１１とツブ状の砥粒１０を任意の間隔（範囲）で交互に付着したものを積層し、これをプレスして所定形状の成形品１’に成形する工程と、この成形品１’を焼き固めてコアに設けられる砥石１を得る工程と、をさらに含んでいる。
【００２１】
フィラメント砥粒１１とツブ状の砥粒１０とを備えてなる砥石１を成形するに際しては、最初に、フィルム１７などの表面に粘着剤１６が塗布されてなる粘着フィルム１５が用意され（図３の（ａ））、この粘着フィルム１５の表面には、フィラメント砥粒１１を付着させる位置にマスキング１８が施されている（マスキング工程）、かかる部分の粘着剤１６がマスキング１８によって覆われている（図３の（ｂ））。この状態で、マスキング１８が施されておらず粘着剤１６が露出した部分には、結合剤と混合されたツブ状の砥粒１０を付着するツブ状砥粒付着工程を行う（図３の（ｃ））。その後、マスキング１８を取り除くマスキング除去工程を行う（図３の（ｄ））。これにより、粘着フィルム１５の表面の任意の範囲に結合剤と混合されたツブ状の砥粒１０が断続的に付着されており、結合剤と混合されたツブ状の砥粒１０、１０が付着された領域の互いに隣接する間には、フィラメント砥粒１１を付着しようとする間隔で、粘着剤１６が露出している。この状態で粘着フィルム１５は、移動手段２２によって所定の速度で送られる。なお、マスキング１８は、粘着フィルム１５の粘着剤１６から剥離することが可能なもので、紙や樹脂或は金属製シートなどによって構成することができる。
【００２２】
また、これと同時にまたは前後して、フィラメント砥粒１１を調整手段２０のホッパ２５に投入して、振動発生装置２８によって振動されるふるい２７の間を通過させることによりフィラメント砥粒１１の長手方向の向きを一定に揃え、排出部２９で長手方向の位置を揃えて任意の間隔で順次搬送手段２１の搬送板３０上に排出する（フィラメント砥粒調整工程）。そして、フィラメント砥粒１１は、搬送手段２１の搬送板３０が振動発生装置２８によって振動されていることにより所定の間隔を保持した状態でその長手方向の向きと位置を替えることなく搬送板３０の先端に向かって搬送され、搬送板３０の先端から所定のタイミングで順次断続的に落下して、粘着フィルム１５のマスキング１８を除去され粘着剤１６が露出した部分に供給される（図３の（ｅ））、すなわち、結合剤と混合されたツブ状の砥粒１０が付着された位置の間の位置にフィラメント砥粒１１を付着させる（フィラメント砥粒付着工程）。なお、マスキング１８を取り除いた位置にフィラメント砥粒１１を付着させた直後にはツブ状の砥粒１０との間に隙間が形成されるが、ツブ状砥粒と混合された結合剤自体に流動性がある場合には、時間の経過に伴ってかかる隙間が結合剤自体の流動により埋められてなくなる。また、結合剤自体に流動性がない場合には、押圧ローラや後述するプレスなどによって、ツブ状の砥粒１０と混合された結合剤に圧力を付加してかかる隙間を埋めてなくすこともできる。また、隙間に流動することによる結合剤と混合されたツブ状の砥粒１０を補うために、ツブ状の砥粒１０の間にフィラメント砥粒１１を付着させた後に、さらに全面にわたってツブ状の砥粒１０と混合された結合剤を供給してもよい。
【００２３】
次いで、図４に示すように、表面に結合剤と混合されたツブ状の砥粒１０とフィラメント砥粒１１とが所定の間隔で交互に付着された粘着フィルム１５を複数重ね合わせて、所定形状を有する金型３１内に配置してプレスにより圧力を加え、コアに設ける砥石１の形状に応じた成形品１’を成形し、この成形品１’を所定の温度で焼き固めて図５に示すような砥石１を得て、コアの所定の位置に砥石１を固定する。粘着フィルム１５は、焼き固める際に消失するなど、砥石１の研磨特性に影響を及ぼすことがない材質であれば、樹脂や紙などを用いることができる。コアに対するフィラメント砥粒１１の長手方向の向きは、粘着フィルム１５に対するフィラメント砥粒１１の配置や砥粒が付着された粘着フィルム１５の金型３１に対する配置により、任意に設定することができる。
【００２４】
次に、本発明の方法の別の実施の形態を図６に基づいて説明する。なお、この実施の形態においては、上述した実施の形態と同様または相当する部分については同じ符号を付してその説明を省略し、異なる部分のみを説明することとする。
【００２５】
上述した実施の形態では、ツブ状の砥粒１０を粘着フィルム１５に先に付着させており、その後、フィラメント砥粒１１をツブ状の砥粒１０の間に付着させていたのに対し、この実施の形態では、フィラメント砥粒１１を粘着フィルムに所定の間隔で先に付着させておき（フィラメント砥粒付着工程）、その後、ツブ状の砥粒１０を粘着フィルム１５のフィラメント砥粒１１の間に付着させる（ツブ状砥粒付着工程）。すなわち、本発明は、フィラメント砥粒付着工程とツブ状砥粒付着工程は、どちらを先に行ってもよく、また両工程を交互に行うこともできる。
【００２６】
この実施の形態においては、最初に、フィルム１７などの表面に粘着剤１６が塗布されてなる粘着フィルム１５が用意され（図６の（ａ））、この粘着フィルム１５の表面には、結合剤と混合されたツブ状の砥粒１０を付着させる位置にマスキング１８が施されている（マスキング工程）、かかる部分の粘着剤１６がマスキング１８によって覆われている（図６の（ｂ））。この状態で、マスキング１８が施されておらず粘着剤１６が露出した部分には、フィラメント砥粒調整工程を経たフィラメント砥粒１１を付着するフィラメント砥粒付着工程を行う（図６の（ｃ））。その後、マスキング１８を取り除くマスキング除去工程を行う（図６の（ｄ））。これにより、粘着フィルム１５の表面の任意の位置にフィラメント砥粒１１が断続的に付着されており、この隣接するフィラメント砥粒１１、１１間には、結合剤と混合されたツブ状の砥粒１０を付着しようとする間隔で、粘着剤１６が露出している。この状態で粘着フィルム１５を移動手段２２によって所定の速度で送りつつ、フィラメント砥粒１１の間を結合剤と混合されたツブ状の砥粒１０によって埋めるツブ状砥粒付着工程を行う（図６の（ｅ））。
【００２７】
次に、本発明の別の実施の形態を図７に基づいて説明する。なお、この実施の形態においても、上述した実施の形態と同様または相当する部分については同じ符号を付してその説明を省略し、異なる部分のみを説明することとする。
【００２８】
上述したように、フィラメント砥粒調整工程を経たフィラメント砥粒１１は、搬送手段２１によって順次所定の間隔で供給される。そのため、この実施の形態では、上述したマスキング工程を行わず、粘着フィルム１５上に直接所定の間隔で配置されるよう供給して付着させ（フィラメント砥粒付着工程）、その後、結合剤と混合されたツブ状の砥粒１０を粘着フィルム１５のフィラメント砥粒１１の間に付着させる（ツブ状砥粒付着工程）。
【００２９】
この実施の形態においては、最初に、フィルム１７などの表面に粘着剤１６が塗布されてなる粘着フィルム１５を用意し（図７の（ａ））、この粘着フィルム１５を移動手段２２によって所定の速度で送りつつフィラメント砥粒調整工程を経たフィラメント砥粒１１を供給して、粘着フィルム１５の粘着剤１６に任意の間隔でフィラメント砥粒１１を付着させるフィラメント砥粒付着工程を行う（図７の（ｂ））。その後、さらに粘着フィルム１５を送りつつ、フィラメント砥粒１１の間を結合剤と混合されたツブ状の砥粒１０によって埋めるツブ状砥粒付着工程を行う（図７の（ｃ））。
【００３０】
次に、本発明の別の実施の形態を図８に基づいて説明する。なお、この実施の形態においても、上述した実施の形態と同様または相当する部分については同じ符号を付してその説明を省略し、異なる部分のみを説明することとする。
【００３１】
上述した実施の形態では、フィルム１７などの表面に粘着剤１６が塗布されてなる粘着フィルム１５を用意したのに対して、この実施の形態では、ツブ状の砥粒１０と混合される結合剤が基材１５と付着するのに適した粘着性を有しており、基材１５として、粘着剤１６が塗布された粘着フィルムを使用することなく、単にフィルムまたはシートを用意する（図８の（ａ））。そして、基材１５上に結合剤と混合されたツブ状の砥粒１０を所定の間隔で断続的に付着させる（図８の（ｂ））。その後、基材１５に断続的に付着された、結合剤と混合されたツブ状の砥粒１０の間にフィラメント砥粒１１を供給する（図８の（ｃ））。フィラメント砥粒１１は、ツブ状の砥粒１０と混合された結合剤の粘性によって基材１５上に保持される。
なお、上述したいずれの実施の形態においても、粘着フィルム１５には、結合剤と混合されたツブ状の砥粒１０の間にそれぞれ１本づつフィラメント砥粒１１を配置する例を図示したが、本発明はこれに限定されることはなく、複数のフィラメント砥粒１１を結合剤と混合されたツブ状の砥粒１０、１０の間に所定の範囲で配置することもできる。
【００３２】
次に、本発明の別の実施の形態を図９に基づいて説明する。なお、この実施の形態においても、上述した実施の形態と同様または相当する部分については同じ符号を付してその説明を省略し、異なる部分のみを説明することとする。
【００３３】
上述した実施の形態は、いずれの場合も、砥石１を構成する砥粒にツブ状の砥粒１０とフィラメント砥粒１１とを含む、すなわち形状が異なる種類の砥粒であったのに対して、この実施の形態では、砥石１を構成する砥粒１０、１２の形状は共にツブ状で実質的に同じであっても、その大きさが異なる種類の場合を示す。
【００３４】
２種類の大きさを有するツブ状の砥粒１０、１２からなる砥石１を成形するに際しては、最初に、ツブ状の砥粒１０、１２と混合される結合剤がそれぞれ基材１５と付着するのに適した粘着性を有しており、基材１５として、単にフィルムまたはシートを用意する（図９の（ａ））。そして、一方の砥粒１０を基材１５上に所定の間隔をあけて付着させ（図９の（ｂ））、次いで、他方の砥粒１２を基材１５上の一方の砥粒１０の間に付着させる（図９の（ｃ））。なお、図９の（ｂ）に示したように一方の砥粒１０を基材１５上に所定の間隔をあけて付着させるために、上述したように、基材１５上に所定の幅でマスキング１８を施した状態で砥粒１０を供給し、その後マスキング１８を取り除いてもよく、また、砥粒１０と１２を交互に基材１５上に供給して付着させてもよい。さらに、この実施の形態においても、図３や図６、図７などに参照されるように、フィルム１７などの表面に粘着剤１６が塗布された基材１５を用意して、フィラメント砥粒１１と同様にツブ状の砥粒１０、１２の少なくとも一方を結合剤と混合することなく粘着剤１６により基材１５に付着させることもできる。
【００３５】
なお、本発明では、粘着フィルムに砥粒を所定の厚さで付着させることができれば、それぞれに砥粒が所定の間隔で付着された複数の粘着フィルムを積層する必要はない。
また、本発明は、砥粒１０、１１、１２などを付着する基材１５として、粘着フィルムやフィルムに限定されることはなく、コアに粘着剤１６を介してまたは直接砥粒を付着することもできる。
【００３６】
本発明では、各種類の砥粒１０、１１、１２などの配置する間隔（範囲）を変更することにより、各砥粒１０、１１、１２などを独立した範囲で交互に配置させた場合の研磨特性を得ることができ、また、各種類の砥粒１０、１１、１２などの配置する間隔を狭く設定して、各種類の砥粒１０、１１、１２などを混合させた場合に近似する研磨特性を得ることができる。
本発明はフィラメント砥粒１１とツブ状の砥粒１０の２種類の砥粒、或は、大きさまたは材質の異なる２種類の砥粒１０、１２からなる砥石１に限定されることなく、これらの種類の砥粒が複合したものや、３種類以上の砥粒からなるものにも適用することができる。
本発明により製造される研削工具の砥石１は、切削、研削、研磨に使用することができる。
【図面の簡単な説明】
【００３７】
【図１】本発明の方法における一部の工程で使用する装置を説明するために示した概略図である。
【図２】図１に示した装置の調整手段の平面図である。
【図３】本発明の方法の第１の実施の形態を示した説明図である。
【図４】図３に従って砥粒が付着された基材を積層して成形する状態を断面で示した説明図である。
【図５】本発明の方法により成形された砥石を部分的に示した斜視図である。
【図６】本発明の方法の第２の実施の形態を示した説明図である。
【図７】本発明の方法の第３の実施の形態を示した説明図である。
【図８】本発明の方法の第４の実施の形態を示した説明図である。
【図９】本発明の方法の第５の実施の形態を示した説明図である。
【符号の説明】
【００３８】
１：砥石、  １０：ツブ状の砥粒（所定の砥粒または他の砥粒）、  １１：フィラメント砥粒（他の砥粒または所定の砥粒）、  １２：ツブ状の砥粒（他の砥粒または所定の砥粒）、  １５：基材、  １８：マスキング、  ２７：ふるい
【図１】
2007313609.tif 000003
【図２】
2007313609.tif 000004
【図３】
2007313609.tif 000005
【図４】
2007313609.tif 000006
【図５】
2007313609.tif 000007
【図６】
2007313609.tif 000008
【図７】
2007313609.tif 000009
【図８】
2007313609.tif 000010
【図９】
2007313609.tif 000011